(57)【要約】【課題】静電塗装ガンの場合、高電圧の荷電制御がガンの操作で行われ、さらに操作性から噴霧の制御が行われる場合もある。この場合にスイッチング操作が安全かつ確実に行われるようにする。 【課題を解決するための手段】静電塗装ガンの噴霧制御を行うスイッチング機構として磁気抵抗のホール効果を用いた装置を使用し、磁気を感知するホール素子をハンドル内に設け、ハンドル外に設けた磁気接近手段以外の方向からの磁気接近を阻止する逆磁性体を配置するか、強磁性体を配置する。作動スイッチを設ける場合は同様に作動機構を逆磁性体もしくは強磁性体で構成する。 【選択図】  図１
2008036460.tif 000002
【特許請求の範囲】
【請求項１】
高電圧荷電電極を備え、絶縁材で形成された静電ガン本体の内部に荷電制御装置を設け、磁気抵抗装置によるホール素子によって荷電を制御する静電ガンにおいて、静電ガン本体の内部に設けたホール素子に対応する静電ガン本体の外側に、スイッチ作動マグネットによって必要とする領域以外の外壁部に強磁性体もしくは逆磁性体によるカバーを設けてなる静電ガンの誤作動防止装置。
【請求項２】
前記ホール素子のスイッチング機能を停止する場合に、前記外壁部にカバーを設置する取り付け部を設けてなる請求項１の誤作動防止装置。
【請求項３】
前記ホール素子のスイッチング機能を作動させるマグネット接離手段をホール素子に対応して設け、その周囲に強磁性体もしくは逆磁性体によるカバーを設けてなる請求項１の誤作動防止装置。
【発明の詳細な説明】
【技術分野】
【０００１】
本発明は、塗装用スプレーガンで特に高電圧を印加して塗装塗着効率を高める静電ガンにおける荷電制御等を、スプレーガン手元で操作することを可能とした装置に係るものである。
【背景技術】
【０００２】
静電スプレーガンは高電圧静電気による吸引力を利用して噴霧塗装における塗着効率を向上する装置として、古くより広く使用されてきている。しかし全ての塗装において静電気による効果が得られるとは限らず、むしろ静電気の影響をなくした方が良い場合もある事も事実であり、同業者の間では使い分けられているのが一般的である。
【０００３】
すなわち、最も簡単な事例としては、被塗装物の塗装面が円筒面や比較的平坦な面である場合は塗着の効果が望めるが、角部に挟まれた凹部の場合、電界が凸部に集中することにより塗料粒子が内部に入り込めず、静電気をかけるがゆえに奥部の塗装が出来ないという欠点が出ることになる。
【０００４】
このため作業者は一旦静電荷電を停止し、通常の噴霧塗装いわゆる無荷電の状態で塗装するか、予め用意した別のスプレーガンで塗装しておくことにより全体を均等に塗装する等の方法を用いていた。通常静電ガンの荷電は、高電圧を供給する制御装置に設けられた電源を入れた状態の時に、噴霧の開始と連動して行われるように設定されており、無荷電で噴霧を行う場合はその電源を切断する方法が取られる。このため作業者は離れた場所に設置された制御装置の電源を操作する煩雑さと作業性の低下を余儀なくされることになる。また別のスプレーガンを用意するか、前工程若しくは後工程で塗装をするなど、前記同様に作業性に問題を有していた。
【０００５】
これらの問題点の改善として、静電ガンに荷電、無荷電の切替えが可能なスイッチを設け、作業者が手元でこれを操作し、直ちに適切な噴霧作業を継続できる技術が既に提案されている。例えば特表2002-523213号公報には操作値を手動で変更し、望ましい操作値をガンの外側に配置された制御装置に伝える制御操作要素すなわちスイッチを備えた手動スプレーガンが示されている。
【０００６】
これらのスイッチ手段は、揮発性溶剤を使用し、火災爆発等の危険を伴う雰囲気で使用される塗装用スプレーガン等の場合、電気的接点が敬遠され無接点スイッチが使用されるのが一般的である。特開平4-227875号公報には、静電ガンに発電機を含む電源装置と電圧調整装置を備え、電圧調整装置には磁気抵抗回路とその回路に離接可能に配置したマグネットを有しており、マグネットの移動により磁気抵抗回路を作動させて前記電源の開閉を行う技術が示されている。
【０００７】
したがって上記のような磁気抵抗回路をもった制御装置として、電源の開閉若しくは切替えスイッチが用いられるが、この場合磁気抵抗回路は、共に備えられたマグネットに限らず、他の磁気によっても反応し、予期せぬ動作や誤動作を生じる可能性がある。
【０００８】
一方制御装置は工業的に製作される場合、機能の異なる制御装置であっても共通の仕様の基で経済的に製作され、必要に応じて細部の要素を選択使用する場合が多くある。とくに標準部品として一体に製作される制御基板等は別々に製作するよりも経済的効果が高く、必要に応じて予め組み込まれた前記スイッチング手段の使い分けで対応することが行われている。
【０００９】
このためにスイッチング手段としての磁気抵抗回路を持つホール素子が組み込まれたまま、その機能を使用しないケースもある。このような場合、通常は問題ないとされているが、意図しない磁力が接近することは否定できず、この場合に前述の誤動作を起こさないといった保証はない。いずれにしても磁気に反応して作動するスイッチング手段を持ち、静電塗装ガンのように高電圧の絶縁を得るために樹脂製の本体内に組み込まれる場合には外部からの磁気の影響を受けやすい状態にあり、安全性の確保が必要となる。
【特許文献１】特表２００２−５２３２１３号公報
【特許文献２】特開平４−２２７８７５号公報
【発明の開示】
【発明が解決しようとする課題】
【００１０】
本発明は静電ガンにおいて、ガンの手元で荷電若しくは噴霧制御を行う場合に安全かつ確実にコントロールするためスイッチング機構として磁気抵抗装置（ホール素子）を用いた場合に、外部の磁気によって誤動作が生じないようにすることを目的とする。
【課題を解決するための手段】
【００１１】
本発明は、高電圧荷電電極を備え、絶縁材で形成された静電ガン本体の内部に荷電制御装置を設け、磁気抵抗装置によるホール素子によって荷電を制御する静電ガンにおいて、静電ガン本体の内部に設けたホール素子に対応する静電ガン本体の外側に、スイッチ作動マグネットによって必要とする領域以外の外壁部に鉄等の強磁性体もしくは逆磁性体によるカバーを設たものである。
【００１２】
前記ホール素子のスイッチング機能を停止してマグネットの接近によっても作動しないようにする場合には、前記外壁部に設けた取り付け部にカバーを設置出来るように構成し、必要なスイッチ手段を設けた場合はその周囲に強磁性体もしくは逆磁性体によるカバーを設けるように構成する。
【発明の効果】
【００１３】
本発明の静電塗装ガンによれば、制御装置に組み込まれた磁気抵抗装置をもつスイッチング手段の作動は、必要時に意識的に接近させる磁石に反応して開閉動作を行うが、その領域以外に接近する磁力は強磁性体もしくは逆磁性体によって排除され、問題となる不必要な作動が排除される。
【００１４】
このため操作中はもちろん休止中であっても不用意に接近する磁気による作動を防止し、危険な状況を生み出すことがない。また誤作動等によって噴霧制御に不調をきたし塗装仕上げが不良になる等の問題もなく、安定して品質の高い塗装を継続することができる。
【００１５】
また対応する外側に強磁性体等で作動領域を遮蔽するカバーの取り付け部を設けることによってその箇所を特定し、容易に内部のホール素子の働きを停止することができ、制御装置自体を変更する必要もなく、臨機応変に静電ガンを活用することができる。
【００１６】
また作動スイッチを設ける場合でもその周辺に、同様の強磁性体によるカバーを設けたことによって、スイッチング動作そのものを安定して行うことができ、確実な制御のもとで塗装作業を行うことができる。
【発明を実施するための最良の形態】
【００１７】
図1は本発明の実施における静電塗装用スプレーガンの一例を全体の概略断面図として示すもので、ガン本体１は先端に噴霧装置を構成する塗料ノズル３と霧化キャップ４が取り付けられている。噴霧装置の先端に設けられた電極５に荷電される高電圧は、外部からの低電圧を受け高電圧として出力する高電圧発生器６から供給される。
【００１８】
この高電圧は引金７の作動によりスイッチが入り荷電される構成が採られ、そのスイッチは引金７に設けられたマグネット８が噴霧ガンのハンドル９内に設けられたホール素子１０を作動させ、制御装置１１によって高電圧の供給を行わせる構成になっている。
【００１９】
図１は説明のため便宜的に別の手段によるホール素子の使用を示している。すなわち引金７による作動は通常噴霧ガン内部の空気弁１２もしくは塗料弁１３を移動させるため、空気弁１２に設けたマグネット１４に反応するホール素子１０Aによって荷電が制御される場合の例を示している。
【００２０】
ホール素子１０、１０Aは磁束密度によって変化する磁気抵抗の変化を利用しマグネットの接近、離開によってON-OFFを行うスイッチ手段としてＩＣ化されたものとして知られており、かつ動作領域によっていくつかの仕様を有する素子が提供されている。したがって作動させる領域の範囲に応じて選択されたホール素子が選択され使用される。
【００２１】
一般的には、本実施例の塗装用ガンのように引金作動の当初に噴霧エアを噴出させた段階で荷電を開始し、塗料弁を全開する位置まですなわち完全に引金７を引き終わる位置までをON（動作）範囲とするように、比較的広い範囲での動作領域をもって使用される。したがってこのようなホール素子１０、１０Aを使用した場合は、接離するマグネット以外にその付近に接近する磁力に対しても反応し、作動することが起こりやすくなる。
【００２２】
この場合、引金７に設けたマグネット８、もしくは空気弁１２に設けたマグネット14の接近方向とは異なる横方向や外部から他の磁性体が近づくことも予想され、作動のために必要とする領域以外の方向から受ける磁力の影響を防止するためカバーが設けられる。このカバーは鉄等の強磁性体もしくは逆磁性体で形成され、これによって不必要な磁力が接近した場合にもその磁力はカバーで遮られてホール素子の作動機能を停止させる。
【００２３】
また制御装置に付帯して設けられ、制御の必要性がなくなった、もしくは一時的に機能を停止させる必要があるホール素子１０Bがある場合は特に外部からの磁気の影響を受けやすい状態になっている。このような場合、図２に拡大して詳細を示すように、外部からはハンドル９の壁１５によって遮断された内部に設置されたホール素子10Bは、その外側には阻止手段であるカバー１６が設けられている。カバー１６は壁１５の外側に見受けた取り付け部１７に嵌め込まれ、このようにすることで強磁性体もしくは作動用マグネットとは逆磁性に働く磁性体で形成し、接近する磁性体による作動を防止するものであれば良い。一般には鉄等の材質が用いられる。このようにすることで確実な位置にスイッチ機能の阻止手段を容易に取り付けることができる。
【００２４】
さらに図３は、たとえば制御装置の入力手段として用いられるホール素子に対応した位置に設けた取り付け部に作動スイッチ１８を設けた例を示している。この例では押しボタン２０の操作で接離するマグネット１９によってホール素子が作動されるが、他の磁力の影響を確実に排除するため周囲に磁性金属のカバーを設けている。すなわち必要とする作動領域以外の領域からの磁力を阻止するため他の領域にカバーを設けたもので、この作動スイッチ１８を取り外した場合には、図２のように取り付け部全体をカバーすればよい。このとき他の磁力の影響から逃れる作動領域以外の領域は、ホール素子の仕様により異なり、それぞれ選択されなければならない。
【図面の簡単な説明】
【００２５】
【図１】本発明の誤動作防止装置を備えた静電塗装用スプレーガンを説明する概略断面図である。
【図２】ホール素子と磁性体カバーの関係を示す部分断面図である。
【図３】ホール素子と対応する作動スイッチを備え、磁性体カバーの関係を示す部分断面図である。
【符号の説明】
【００２６】
１    ガン本体
３    塗料ノズル
４    霧化キャップ
５    電極
６    高電圧発生器
７    引金
８    マグネット
９    ハンドル
１０、１０Ａ、１０Ｂ  ホール素子
１１  制御装置
１２  空気弁
１３  塗料弁
１４  マグネット
１５  壁
１６  カバー
１７  取り付け部
１８  作動スイッチ
１９  マグネット
【図１】
2008036460.tif 000003
【図２】
2008036460.tif 000004
【図３】
2008036460.tif 000005